(57)【要約】【課題】ＦＢＳとＡＤＦとを備える画像形成装置において、ＦＢＳの上面を有効利用できるようにすること、構成をより簡素化すること、装置をよりコンパクト化することを実現する画像形成装置を提供する。【解決手段】ＦＢＳ３は装置本体２の上部に位置し、記録用紙カセット５は装置本体２の下部に位置する。プリンタ部６は記録用紙カセット５の上方に位置し、ＡＤＦ４はＦＢＳ３とプリンタ部６との間に位置する。ＦＢＳ用読取手段１７とＡＤＦ用読取手段２４は別個に設けた。ＦＢＳ３と記録用紙カセット５との間の空間には、ＡＤＦ４に係る原稿とプリンタ部６に係る記録紙とを収容する排紙トレイ７が位置する。【選択図】　　　図２
2004135212.tif 000002
【特許請求の範囲】
【請求項１】
原稿載置台に載置した原稿を読み取る載置原稿読取装置と、原稿を１枚ずつ自動で読取位置に供給する原稿自動供給装置と、載置原稿読取装置又は原稿自動供給装置で読み取った画像を記録するための用紙を収容する記録用紙収容部と、読み取った画像を記録用紙収容部から取り出した用紙に記録する画像記録部とを備えた画像形成装置であって、
前記画像記録部を前記記録用紙収容部の上側に配置するとともに、前記載置原稿読取装置を画像記録部の上方に配置し、この画像記録部と載置原稿読取装置との間に前記原稿自動供給装置を配置したことを特徴とする画像形成装置。
【請求項２】
前記載置原稿読取装置用読取手段と前記原稿自動供給装置用読取手段とを別個に設けたことを特徴とする請求項１記載の画像形成装置。
【請求項３】
前記原稿自動供給装置を使って読み取られた原稿を排出するための原稿排紙部と前記画像記録部を使って記録された記録紙を排出するための記録紙排紙部とを共通の排紙面を有する兼用排紙部として構成したことを特徴とする請求項１又は請求項２記載の画像形成装置。
【請求項４】
前記原稿自動供給装置における原稿搬送経路の下方に前記画像記録部を配置し、前記画像記録部を使って記録された記録紙を前記兼用排紙部に排出する際の出口となる記録紙排出口の直上に、前記原稿自動供給装置を使って読み取られた原稿を前記兼用排紙部に排出する際の出口となる原稿排出口を配置し、原稿自動供給装置を使って読み取られた原稿及び画像記録部を使って記録された記録紙が各々の排出口から前記兼用排紙部に対して同一方向に排出されるようにしたことを特徴とする請求項３記載の画像形成装置。
【請求項５】
前記兼用排紙部において、前記原稿自動供給装置を使って読み取られた原稿の排出位置と前記画像記録部を使って記録された記録紙の排出位置とは、前記兼用排紙部への排出方向と直交する方向にずれていることを特徴とする請求項３又は請求項４記載の画像形成装置。
【発明の詳細な説明】
【０００１】
【発明の属する技術分野】
この発明は、載置原稿読取装置と原稿自動供給装置とを備える、ファクシミリ装置やコピー装置等に使用される画像形成装置に関する。
【０００２】
【従来の技術】
図６に示すように、原稿載置台に載置した原稿を読み取る載置原稿読取装置〔以下、ＦＢＳ（フラットベッドスキャナ）〕９１と、原稿を１枚ずつ自動で読取位置に供給する原稿自動供給装置（以下、ＡＤＦ）９３とを備える複合機がある。この複合機では、下部にプリンタ（記録用紙カセット等を含む）９０が配置され、このプリンタ９０の上方に開閉可能なプラテンカバー９２が付設されたＦＢＳ９１が設けられ、ＦＢＳ９１のプラテンカバー９２上にＡＤＦ９３が設けられているのが一般的である。また、プリンタ９０により記録された用紙は記録紙排出トレイ９４に排出されるようになっている。
【０００３】
しかしながら、そのような複合機では、ＦＢＳ９１の上にＡＤＦ９３が位置するので、ＦＢＳ９１（すなわちプラテンカバー９２）の上面が平坦にはならず、ＦＢＳ９１の上面を有効利用することができないという問題がある。すなわち、ＦＢＳ９１の上面に、原稿や取扱説明書を安定良く置くためのスペースや必要な文書を貼付するためのスペースを確保できないという問題がある。
【０００４】
このような事情から、例えば下部に給紙装置を配置し、この給紙装置の上に画像記録装置（プリンタ）を設け、更に排紙トレイ用の空間を隔ててＡＤＦを配置し、このＡＤＦの上に原稿読取装置を配置した画像形成装置が知られている（例えば、特許文献１参照）。
【０００５】
【特許文献１】
特開平８−１６５０３４号公報（〔００１４〕、図１７、図１８）
【０００６】
【発明が解決しようとする課題】
上記公報記載の画像形成装置では、ＡＤＦは原稿読取装置の上に位置しておらず、原稿読取装置とプリンタとの間に位置する。しかしながら、原稿読取装置は、ＡＤＦによって搬送される原稿を上面から読み取るためのものであり、上記公報記載の画像形成装置では、ＦＢＳの存在は記載されていない。従って、ブックなどの厚原稿を読み取ることができないという問題がある。
【０００７】
この発明は、そのような実状に着目してなされたものであって、ＦＢＳとＡＤＦとを備える画像形成装置において、ＦＢＳの上面を有効利用できるようにすること、構成をより簡素化すること、装置をよりコンパクト化することを実現する画像形成装置を提供することを目的としている。
【０００８】
【課題を解決するための手段】
前記目的を達成するために、この発明の請求項１記載の画像形成装置は、原稿載置台に載置した原稿を読み取る載置原稿読取装置と、原稿を１枚ずつ自動で読取位置に供給する原稿自動供給装置と、載置原稿読取装置又は原稿自動供給装置で読み取った画像を記録するための用紙を収容する記録用紙収容部と、読み取った画像を記録用紙収容部から取り出した用紙に記録する画像記録部とを備えたものであって、前記画像記録部を前記記録用紙収容部の上側に配置するとともに、前記載置原稿読取装置を画像記録部の上方に配置し、この画像記録部と載置原稿読取装置との間に前記原稿自動供給装置を配置したことを特徴とする。
【０００９】
この画像形成装置では、原稿自動供給装置（ＡＤＦ）は載置原稿読取装置（ＦＢＳ）の上にはなく、上下位置関係においてＦＢＳと画像記録部との間に位置するので、ＦＢＳの上面が平坦になる。これにより、ＦＢＳの上面に原稿や取扱説明書を安定良く置くためのスペースや必要な文書を貼付するためのスペースを確保でき、ＦＢＳの上面を有効利用することが可能となる。また、ブックなどの厚原稿を読み取ることも可能である。
【００１０】
本発明の画像形成装置において、ＦＢＳ用読取手段とＡＤＦ用読取手段とを別個に設けることにより、ＦＢＳとＡＤＦとで読取手段を兼用する場合に比べて構成が簡単になる。
【００１１】
また、ＡＤＦを使って読み取られた原稿を排出するための原稿排紙部と画像記録部を使って記録された記録紙を排出するための記録紙排紙部とを共通の排紙面を有する兼用排紙部として構成することにより、装置構成がコンパクトになる。
【００１２】
更に、ＡＤＦにおける原稿搬送経路の下方に画像記録部を配置し、画像記録部を使って記録された記録紙を兼用排紙部に排出する際の出口となる記録紙排出口の直上に、ＡＤＦを使って読み取られた原稿を兼用排紙部に排出する際の出口となる原稿排出口を配置し、ＡＤＦを使って読み取られた原稿及び画像記録部を使って記録された記録紙が各々の排出口から兼用排紙部に対して同一方向に排出されるようにすることにより、紙搬送経路が簡単になる。
【００１３】
更にまた、兼用排紙部において、ＡＤＦを使って読み取られた原稿の排出位置と画像記録部を使って記録された記録紙の排出位置とを、兼用排紙部への排出方向と直交する方向にずらすことにより、兼用排紙部上で原稿と記録紙とを簡単に区別できる。
【００１４】
【発明の実施の形態】
以下、実施の形態により、この発明を更に詳細に説明する。
【００１５】
その実施形態に係る画像形成装置の基本構成の概略図を図１に示す。この画像形成装置１は、ＦＢＳ（原稿載置台に載置した原稿を読み取る載置原稿読取装置）３と、ＡＤＦ（原稿を１枚ずつ自動で読取位置に供給する原稿自動供給装置）４とを備える、コピー装置とファクシミリ装置を兼用する複合機である。装置下部には、ＦＢＳ３又はＡＤＦ４で読み取った画像を記録するための用紙を収容する記録用紙カセット（記録用紙収容部）５が配置され、記録用紙カセット５の上方には、読取用光学系９と開閉可能なプラテンカバー１３を有するＦＢＳ３が設けられている。
【００１６】
ＦＢＳ３と記録用紙カセット５との間には、ＡＤＦ４と読み取った画像を記録用紙カセット５から取り出した用紙に記録するプリンタ部（画像記録部）６とが配置され、上下位置関係においてＡＤＦ４はＦＢＳ３とプリンタ部６との間に位置する。ＦＢＳ３と記録用紙カセット５との空間には排出トレイ（兼用排紙部）７が配置され、ＡＤＦ４側の装置側面には、原稿をセットする原稿セットトレイ２１が折り畳み自在に付設されている。
【００１７】
この画像形成装置１では、ＡＤＦ４は、ＦＢＳ３上に位置していないので、ＦＢＳ３（プラテンカバー１３）の上面が平坦になり、ＦＢＳ３の上面に物を安定良く載せたり、取扱説明書を広げたりするなど、ＦＢＳ３の上面を有効利用できる。勿論、ブックなどの厚原稿も読み取ることができる。
【００１８】
この画像形成装置１の更に詳細な構成を図２に概略的に示す。この画像形成装置１では、ＦＢＳ３は装置本体２の上部に位置し、記録用紙カセット５は装置本体２の下部に位置する。プリンタ部６は記録用紙カセット５の上方に位置し、ＡＤＦ４はＦＢＳ３とプリンタ部６との間に位置する。また、プリンタ部６はＡＤＦ４を使って読み取られる原稿の搬送経路の下方に位置する。更に、ＦＢＳ３と記録用紙カセット５との間の空間には、ＡＤＦ４を使って読み取られた原稿とプリンタ部６を使って記録された記録紙とを排出する排紙トレイ７が設けられている。
【００１９】
ＦＢＳ３は、原稿を載置する原稿載置台１１と、後部側に設けられたヒンジ１２により開閉可能に取付けられたプラテンカバー１３とを有する。ＦＢＳ３における原稿載置台１１の下側には、原稿載置台１１の原稿を読み取るＦＢＳ用読取手段１７が配置されており、この読取手段１７は光源、複数のミラー、レンズ、撮像素子（ＣＣＤ等）等で構成され、原稿を主走査方向（図の矢印方向）に読み取る。すなわち、ＦＢＳ３は、原稿載置台１１の上面に載置した静止状態の原稿画像を、ＦＢＳ用読取手段１７の一部又は全部を移動させながら読み取る。また、ＦＢＳ３の前側には、テンキー、スタートキー、ストップキー等からなる操作部１５が設けられ、図面には示されていないが操作部１５には表示部（ＬＣＤ）が設けられている。
【００２０】
ＡＤＦ４は、原稿の搬送経路の上流側から、原稿１００をセットする原稿セットトレイ２１と、原稿セットトレイ２１にセットされた原稿１００を１枚ずつ取り出すピックアップローラ２２と、取り出された原稿１００を読取位置に向けて送る搬送ローラ２３と、送られてきた原稿を読取位置において読み取るＡＤＦ用読取手段２４と、読み取られた原稿を排出方向に向けて送る搬送ローラ２５と、原稿を排紙トレイ（原稿排紙部）７に排出する排出ローラ２６とを備える。この排出ローラ２６が原稿を排紙トレイ７に排出する際の出口となる。ＡＤＦ４による読み取りは、原稿を搬送しながら行われるため、静止状態のＡＤＦ用読取手段２４により行う。
【００２１】
なお、ＡＤＦ４においては、排出後の原稿の順序を維持するためには、原稿セットトレイ２１にフェースアップ（片面読取の場合に原稿面を上面とした状態）でセットした原稿を下から１枚ずつ取り込んで読み取る必要があることから、ＡＤＦ用読取手段２４は原稿搬送経路の上側に位置する。両面読取機能を備える場合には、ＡＤＦ用読取手段２４を原稿搬送経路の上下両側に配置する。また、ここでは、ＡＤＦ４による読み取りにおいて、図２の矢印方向（左右方向）が副走査方向になっている。
【００２２】
図２から明らかなように、ＡＤＦ４を使って読み取る原稿の搬送経路（ピックアップローラ２２によるピックアップから排出ローラ２６による排出までの経路）は、略直線状である。また、原稿セットトレイ２１は、装置本体２に対して折り畳み自在である。この原稿セットトレイ２１は、使用するときのみ引き出し、引き出した状態では装置本体２の側面から斜め上方に向かって突出している。勿論、原稿セットトレイ２１を使用しないときは折り畳んでおく。
【００２３】
プリンタ部６は、ＡＤＦ４を使って読み取る原稿の搬送経路の下方、すなわちＡＤＦ用読取手段２４の直下に位置し、感光ドラム、帯電器、現像器、転写器、定着器等で構成される。
【００２４】
記録用紙カセット５は、装置本体２の前側に引き出し可能になっており、記録用紙１０１をセットするトレイ３１を有する。記録用紙カセット５の記録用紙１０１は、ピックアップローラ３２により上から１枚ずつ取り出され、搬送ローラ３３，３４によりプリンタ部６に送られ、プリンタ部６でＦＢＳ３又はＡＤＦ４で読み取られた原稿の画像が記録された後、排出ローラ３５により排紙トレイ（記録紙排紙部）７に排出される。この排出ローラ３５が記録紙を排紙トレイ７に排出する際の出口となる。
【００２５】
ＡＤＦ４を使って読み取られた原稿の排出口である排出ローラ２６は、プリンタ部６を使って記録された記録紙の排出口である排出ローラ３５の直上に位置する。また、ここでは、ＦＢＳ３の主走査方向（矢印方向）とＡＤＦ４の主走査方向（紙面に垂直方向）とは直交しているが、ＦＢＳ３を水平に９０°回転させた状態とし、両主走査方向を一致させてもよい。
【００２６】
ここで、ＡＤＦ用読取手段２４の構成例を図３及び図４に概略図で示す。図３の読取装置４０では、光源４１からの光が原稿１００に照射され、その反射光が４つのミラー４２，４３，４４，４５により図示のような光路で反射され、レンズ４６により集光されてＣＣＤ４７で撮像される。
【００２７】
図４の読取装置５０では、光源５１からの光が原稿１００に照射され、その反射光が４つのミラー５２，５３，５４，５５により図示のような光路で反射され、集光レンズ５６により集光されてラインセンサ５７で撮像される。
【００２８】
図３及び図４のように、ＡＤＦ用読取手段２４では、４つのミラー（５つ以上でも良い）を使って光を反射させているため、コンパクトな構成により必要な光軸長さを確保することができる。すなわち、原稿からの反射光を４回以上ミラーで反射させた後に撮像素子（ＣＣＤ４７、ラインセンサ５７）に入射するようにしたので、装置を大型化することなしに、プリンタ部６とＦＢＳ３との間における、ＡＤＦ原稿搬送経路近傍の狭い空間にＡＤＦ用読取手段２４を配置することができる。
【００２９】
このように構成した画像形成装置１では、前記したように、ＡＤＦ４はＦＢＳ３の上ではなく、ＦＢＳ３とプリンタ部６との間に位置するので、ＦＢＳ３（すなわちプラテンカバー１３）の上面を有効利用できる。これに加えて、ＦＢＳ用読取手段１７とＡＤＦ用読取手段２４が個別に設けられているので、ＦＢＳ３とＡＤＦ４で読取手段を兼用する場合に比べて、構成が簡単になる。また、排紙トレイ７は、原稿排出用と記録紙排出用との共通排紙面を有する兼用排紙部を構成しているので、構成をコンパクトにすることができる。更に、排紙トレイ７に対して原稿と記録紙が同一方向に排出されるので、紙搬送経路が簡単になる。
【００３０】
ところで、排出ローラ２６から排出される原稿１００と排出ローラ３５から排出される記録紙１０１は、排紙トレイ７に対して同一方向に排出されるが、この場合、図５の（ａ）に示すように、原稿１００と記録紙１０１は排紙トレイ７上に略完全に重なって溜まる。これだと、後で原稿１００と記録紙１０１を区別するのが面倒なので、図５の（ｂ）に示すように、原稿１００と記録紙１０１の排出位置を排出方向と直交する方向にずらせば、排紙トレイ７上で原稿１００と記録紙１０１を簡単に区別できる。
【００３１】
【発明の効果】
以上説明したように、請求項１記載の発明によれば、ＡＤＦがＦＢＳの上にはなく、ＦＢＳと画像記録部との間に位置するので、ＦＢＳの上面が平坦になる。その結果、ブックなどの厚原稿を読み取ることができるのは勿論のこと、ＦＢＳの上面に原稿や取扱説明書を安定良く置くためのスペースや必要な文書を貼付するためのスペースを十分に確保でき、ＦＢＳの上面を有効利用することが可能となる。
【００３２】
請求項２記載の発明によれば、ＦＢＳとＡＤＦで読取手段を兼用する場合に比べて構成が簡単になる。
【００３３】
請求項３記載の発明によれば、装置構成がコンパクトになる。
【００３４】
請求項４記載の発明によれば、紙搬送経路が簡単になる。
【００３５】
請求項５記載の発明によれば、兼用排紙部上で原稿と記録紙とを簡単に区別できる。
【図面の簡単な説明】
【図１】実施形態に係る画像形成装置（ＦＢＳとＡＤＦを備える複合機）の基本構成を示す概略図である。
【図２】同画像形成装置の更に詳細な構成を示す概略図である。
【図３】同画像形成装置のＡＤＦにおけるＡＤＦ用読取手段の構成例を示す概略図である。
【図４】同画像形成装置のＡＤＦにおけるＡＤＦ用読取手段の別の構成例を示す概略図である。
【図５】同画像形成装置の排紙トレイに対する原稿と記録紙の排出位置が同じであるときの状態を示す概略平面図（ａ）、及び排出位置がずれているときの状態を示す概略平面図（ｂ）である。
【図６】従来例に係る画像形成装置（ＦＢＳとＡＤＦを備える複合機）の基本構成を示す概略図である。
【符号の説明】
１　　　　画像形成装置
２　　　　装置本体
３　　　　ＦＢＳ（載置原稿読取装置）
４　　　　ＡＤＦ（原稿自動供給装置）
５　　　　記録用紙カセット（記録用紙収容部）
６　　　　プリンタ部（画像記録部）
７　　　　排紙トレイ（兼用排紙部）
１３　　　プラテンカバー
１７　　　ＦＢＳ用読取手段
２１　　　原稿セットトレイ
２４　　　ＡＤＦ用読取手段
１００　　原稿
１０１　　記録用紙
【図１】
2004135212.tif 000003
【図２】
2004135212.tif 000004
【図３】
2004135212.tif 000005
【図４】
2004135212.tif 000006
【図５】
2004135212.tif 000007
【図６】
2004135212.tif 000008